(57)【要約】【課題】  設置面に対する放音面の細かな角度調整を簡単に行えるようにしたスピーカ装置を提供すること。【解決手段】  スピーカ本体２ａ、２ｂと、スピーカ本体２ａ、２ｂを収容すると共にスピーカ本体２ａ、２ｂからの音を外部に出力する放音面ｓ３を有するキャビネット３と、キャビネット３に取り付けられるヒンジ部材２１と、一端部がヒンジ部材２１に連結され他端部が設置面上に支持される脚部材６とを備え、ヒンジ部材２１を回動中心としたキャビネット３と脚部材６との相対的な回動により、設置面に対する放音面の角度を変えられるようにした。【選択図】        図１
2005064959.tif 000002
【特許請求の範囲】
【請求項１】
スピーカ本体と、
前記スピーカ本体が収容されると共に前記スピーカ本体からの音を外部に出力する放音面を有するキャビネットと、
前記キャビネットに取り付けられるヒンジ部材と、
一端部が前記ヒンジ部材に連結され、他端部が設置面上に支持される脚部材とを備え、
前記ヒンジ部材を回動中心とした、前記キャビネットと前記脚部材との相対的な回動により、前記設置面に対する前記放音面の角度を変えられるようにした
ことを特徴とするスピーカ装置。
【請求項２】
前記ヒンジ部材は、
前記キャビネットに固定される固定部と、
前記脚部材の前記一端部に固定され且つ前記固定部に回動自在に嵌合される回動部と、
前記回動部を前記固定部に押し付けるばね部材とを備えている
ことを特徴とする請求項１に記載のスピーカ装置。
【請求項３】
前記設置面上に支持される前記キャビネットの下端部に、前記キャビネットから前記設置面への振動の伝達を抑えるインシュレータが取り付けられ、
前記下端部と前記設置面との間に前記インシュレータが介在されて、前記下端部は前記設置面から浮いた状態とされる
ことを特徴とする請求項１に記載のスピーカ装置。
【発明の詳細な説明】
【技術分野】
【０００１】
本発明は、キャビネット内にスピーカ本体を収容したスピーカ装置に関し、更に詳しくは、キャビネットに対して回動自在に脚部材を取り付けて、その脚部材とキャビネットとを相対的に回動させることによって、設置面に対する放音面の角度を変えられるようにしたスピーカ装置に関する。
【背景技術】
【０００２】
近年、大画面表示装置や複数のスピーカを用いてホームシアターを構築することが普及しつつある。この場合に、表示装置としては、大画面薄型の液晶ディスプレイやプラズマディスプレイ、あるいは映像をスクリーン上に投写させるプロジェクタが用いられる傾向にあり、視聴者の前方中央に配置されるセンタースピーカの置き場所としては、表示装置の上には置き場所を確保できずに、床に置かざるを得ない状況になってきている。
【０００３】
この場合に、センタースピーカの放音面と床面との距離が近いと音が床に反射・干渉してツヤやメリハリを損なうきらいがあり、少し上向きにするとよいとされる。また、聴く人の耳の高さに放音面を向ける必要もあり、床面にセンタースピーカを設置した場合には放音面の仰角を所望の角度に変えられることが望ましい。
【０００４】
例えば、特許文献１には、略三角柱状のスピーカ装置の置き方を変えることで、設置面に対する放音面の角度を変えられるようにしたことが開示されている。
【０００５】
図１６Ａに示した状態は、スピーカ装置５１が設置面ｆ上に横置きにされて、放音面ｓが設置面ｆに対して斜め上向きにされた状態である。
【０００６】
図１６Ｂに示した状態は、スピーカ装置５１が設置面ｆ上に縦置きにされて、放音面ｓが設置面ｆに対して垂直にされた（矢印で示す音の出力方向は設置面ｆに平行）状態である。
【特許文献１】特開２００１−２９２４８８号公報
【発明の開示】
【発明が解決しようとする課題】
【０００７】
上記特許文献１では、スピーカ装置５１の置き方を変えること（縦置きか横置きか）による２方向の選択しかできず、より細かな角度調整ができない。
【０００８】
また、別途、角度調整機能付きのスピーカスタンドを用いることも考えられるが、このようなスピーカスタンドでは一般に使用者が仰角の調整をする際、ドライバーなどの工具を用いて締結されているねじをゆるめてから希望の仰角に合わせ、またねじを締めて調整するという作業が必要となり面倒である。更に、ねじのゆるみや締め忘れなどにより、使用中にスピーカ本体の振動を受けてビリビリとふるえたりして音質に影響を与えるおそれもある。
【０００９】
本発明は上述の問題に鑑みてなされ、その目的とするところは、設置面に対する放音面の細かな角度調整を簡単に行えるようにしたスピーカ装置を提供することにある。
【課題を解決するための手段】
【００１０】
本発明のスピーカ装置は、スピーカ本体と、このスピーカ本体が収容されると共にスピーカ本体からの音を外部に出力する放音面を有するキャビネットと、このキャビネットに取り付けられるヒンジ部材と、一端部がヒンジ部材に連結され、他端部が設置面上に支持される脚部材とを備え、ヒンジ部材を回動中心としたキャビネットと脚部材との相対的な回動により、設置面に対する放音面の角度を変えられるようにしたことを特徴としている。
【００１１】
キャビネット内には、単数あるいは複数のスピーカ本体が収容されている。スピーカ本体は例えばコーン紙などの振動体を有し、その振動体が振動することで音を発生する。キャビネットは、スピーカ本体をほこりや水分などから保護する機能はもちろん、振動体の前後での音の打ち消しを抑制して音の発生効率の低下を防いだり、放音面以外の方向への音のもれを防いだりする。スピーカ本体からの音は放音面を通じてキャビネットの外部に出力される。よって、設置面に対する放音面の角度を変えることで、設置面上に置かれたスピーカ装置の音の出力方向を変えることができる。
【００１２】
キャビネットにはヒンジ部材を介して脚部材が取り付けられている。脚部材はヒンジ部材に連結された一端部を回動中心としてキャビネットに対して回動自在となっている。脚部材の他端部は設置面上に支持され、キャビネットの倒れを防止して、設置面上でのキャビネットの所望の姿勢を保持する。
【００１３】
スピーカ装置は、キャビネットだけで設置面上に支持されるのではなく、傾倒可能に設置面上に置かれたキャビネットを脚部材が支えるようにして設置面上に支持される。
【００１４】
そして、キャビネットと脚部材とを相対的に回動させることで、設置面上に支持されるキャビネットの下端部と脚部材の他端部との間の開き角度を変化させることができ、設置面に対するキャビネットの設置姿勢を自由に変えることができる。この結果、キャビネットに形成された放音面を、聴者がスピーカ装置からの音を聞くにあたっての最適な方向へと簡単に調整することができる。
【００１５】
ヒンジ部材の構成の一例として、キャビネットに固定される固定部と、脚部材の一端部に固定され且つ上記固定部に回動自在に嵌合される回動部と、その回動部を固定部に押し付けるばね部材とを備えた構成が挙げられる。
【００１６】
回動部はばね部材によって固定部に押し付けられつつ回動自在に嵌合しており、回動部と固定部との間に作用する摩擦力が、回動部の固定部に対する回動の抵抗力として作用し、所望の回動角度で脚部材を保持させておくことができる。このような構成は、例えば凹部と突起との係合箇所に応じて保持角度が決まってしまう一般のラチェット機構に比べて、保持角度選択の自由度が高い。
【００１７】
上記ばね部材としては、板ばね部材、コイルばね部材、皿ばね部材などを用いることができる。
【００１８】
また、設置面上に支持されるキャビネットの下端部に、キャビネットから設置面への振動の伝達を抑えるインシュレータを取り付け、キャビネットが設置面上に置かれた状態で、キャビネットの下端部と設置面との間に介在されるインシュレータによって下端部が設置面上から浮くようにすれば、音の歪みや、不所望の響きが生じることを防いで、良好な音質を得ることができる。
【００１９】
更に、インシュレータとして、例えばゴム材料を用いれば、キャビネットの下端部の、設置面に対する滑り止めも行え、使用中にキャビネットの下端部が設置面に対してずれることによる音の出力方向のずれを回避できる。
【発明の効果】
【００２０】
本発明のスピーカ装置によれば、キャビネットにヒンジ部材を介して脚部材が連結され、そのヒンジ部材を回動中心としたキャビネットと脚部材との相対的な回動により、設置面に対する放音面の角度を変えられるようにしたので、スピーカ装置の設置に際して、放音面の細かな角度調整をキャビネットに取り付けられた脚部材を回動させるだけという簡単な作業にて行える。
【発明を実施するための最良の形態】
【００２１】
［第１の実施形態］
図１は本実施形態に係るスピーカ装置１を一方の側面側から見た斜視図を示す。図２はそのスピーカ装置１の正面図を示し、図３は底面側から見た図である。
【００２２】
スピーカ装置１は、例えば２個のスピーカ本体２ａ、２ｂ（図２参照）と、これらスピーカ本体２ａ、２ｂを収容するキャビネット３と、キャビネット３の左右の側面ｓ１、ｓ２に回動自在に取り付けられる脚部材６と、この脚部材６とキャビネット３との取付部に介在されるヒンジ部材と、左右の両脚部材６間を連結する連結棒７とを有している。
【００２３】
キャビネット３は、長方形状の放音面ｓ３と、この放音面ｓ３の後方で、放音面ｓ３に対向する頂部でもって互いに接続する２つの傾斜面ｓ４、ｓ５と、放音面ｓ３の上端部と傾斜面ｓ４の上端部とを接続する上面ｓ６と、放音面ｓ３の下端部と傾斜面ｓ５の下端部とを接続する下面ｓ７と、左右の側面ｓ１、ｓ２とを有する、略五角柱状を呈している。
【００２４】
スピーカ本体２ａ、２ｂは音の出力方向をキャビネット３の放音面ｓ３に向けてキャビネット３の内部に収容されている。キャビネット３の放音面ｓ３にはネット４が取り付けられて、内部のスピーカ本体２ａ、２ｂをほこりなどから保護する。スピーカ本体２ａ、２ｂから出力された音は、ネット４を通過して放音面ｓ３の前方へと出力される。
【００２５】
キャビネット３の側面ｓ１には、図５に示す脚部材取付部１１が形成されている。なお、図５に示されない反対側の側面ｓ２にも、同様な脚部材取付部１１が形成されている。
【００２６】
脚部材取付部１１は、対向する反対側の側面ｓ２に向かってくぼんだ凹部１２と、この凹部１２の底面に突設された筒部１３とから構成される。筒部１３の底面の中央には貫通孔１４があけられ、この貫通孔１４を挟むようにして１対の弓形部材１５が筒部１３の底面に設けられている。弓形部材１５はその弧状の側面を筒部１３の内周面に沿わせており、矩形状の平面部１５ａを互いに対向させている。これら弓形部材１５は、後述するように、筒部１３に嵌め込まれるヒンジ部材の固定部が脚部材６の回動に伴って回ってしまうのを規制する回り止め部材として機能する。
【００２７】
次に、図７〜図９を参照してヒンジ部材２１について説明する。図７はヒンジ部材２１の上面図を、図８は側面図を、図９は底面図を示す。
【００２８】
ヒンジ部材２１は、上述した筒部１３内に嵌め込まれる固定部２２と、固定部２２の上端部側に順に重ねられる、フリクションプレート２３、回動部２４、フリクションプレート２５、板ばね部材２６、キャップ２７とから構成される。
【００２９】
固定部２２は略円柱状を呈し、その上端部には軸部２８が突設されている。固定部２２の内部には底面に開口するねじ孔２９が形成されている。また、固定部２２の下端部側の周面の一部は切り欠けられて、ねじ孔２９を挟んで対向する１対の平面部３０が形成されている。
【００３０】
固定部２２の軸部２８には、フリクションプレート２３、回動部２４、フリクションプレート２５、板ばね部材２６、およびキャップ２７が嵌合されている。
【００３１】
フリクションプレート２３は下方へと折れ曲がった屈曲部２３ａを有し、この屈曲部２３ａは固定部２２の上端部の周面に形成された凹溝２２ａに係合している。よって、フリクションプレート２３は固定部２２に対してその軸部２８まわりに回らないようになっている。
【００３２】
そのフリクションプレート２３の上に板状の回動部２４が重ねられている。回動部２４は固定部２２の径外方へと張り出した１対の張出部３１を有し、各張出部３１にはねじ孔３１ａが張出部３１を貫通して形成されている。回動部２４の上にはフリクションプレート２５が重ねられている。したがって、回動部２４は２枚のフリクションプレート２３、２５で挟まれている。
【００３３】
フリクションプレート２５は下方へと折れ曲がった屈曲部２５ａを有し、この屈曲部２５ａは回動部２４の周面に形成された凹溝２４ａに係合している。よって、回動部２４が固定部２２の軸部２８まわりに回動されるとフリクションプレート２５も回動部２４と一体的に軸部２８まわりに回動される。
【００３４】
フリクションプレート２５の上には、絞り加工が施された板ばね部材２６が重ねられ、更に板ばね部材２６の上にはキャップ２７が重ねられる。
【００３５】
固定部２２、軸部２８、回動部２４、板ばね部材２６、キャップ２７は、例えばステンレスからなり、２枚のフリクションプレート２３、２５は、例えばりん青銅からなる。
【００３６】
軸部２８において、キャップ２７の上面より突き出る部分はかしめられる。これにより、キャップ２７の下面と、固定部２２の上端部との間で、板ばね部材２６、フリクションプレート２５、回動部２４、フリクションプレート２３が狭圧される。
【００３７】
板ばね部材２６は弾性変形されることによって軸方向に弾性復元力を作用させ、この弾性復元力によって回動部２４は上下の両フリクションプレート２５、２３と大きな摩擦力でもって圧接する。この摩擦力が回動部２４の軸部２８まわりの回動に対する抵抗力として作用して、回動部２４を所望の回動位置で保持させておくことができる。
【００３８】
板ばね部材２６の材質や、厚さや、絞り加工の深さなどを調整することで、フリクションプレート２５、２３と回動部２４との圧接力、すなわちこれら両者間の摩擦力を調整できる。
【００３９】
ヒンジ部材２１の固定部２２は、上述した図５に示す筒部１３に嵌め込まれる。具体的には、固定部２２の底面に開口されたねじ孔２９を筒部１３底面の貫通孔１４に位置合わせすると共に、固定部２２の下端部側の側面に形成された平面部３０を、筒部１３の底面に設けられた弓形部材１５の平面部１５ａに沿わせて嵌め込む。
【００４０】
ヒンジ部材２１において回動部２４を含む上端部側は、図６に示されるように筒部１３から突出される。
【００４１】
そして、筒部１３底面の裏側から、ねじを貫通孔１４を通して固定部２２のねじ孔２９に螺着させることで、ヒンジ部材２１の固定部２２はキャビネット３の側面ｓ１に対して固定される。固定部２２の平面部３０が、弓形部材１５の平面部１５ａに向き合って配置されることで、固定部２２の筒部１３内での回り止めがなされる。
【００４２】
ヒンジ部材２１の回動部２４には、図１０、１１に示す脚部材６の一端部が取り付けられる。脚部材６の内側面において、一端部には、上述したキャビネット３の側面ｓ１に形成された凹部１２内に配置される出っ張り部３２が形成され、他端部には連結棒７の端部に嵌め込まれる筒部３３が形成されている。
【００４３】
図１１に示すように、出っ張り部３２には、上記回動部２４の平面形状と相似する凹部３４が形成されている。凹部３４の平面寸法は回動部２４の平面寸法より大きい。凹部３４の底面の中央には円形状のくぼみ３５が形成され、このくぼみ３５を挟むようにして１対の貫通孔３６が形成されている。
【００４４】
脚部材６の出っ張り部３２に形成された凹部３４は、キャビネット３の側面ｓ１に設けられた筒部１３から突出しているヒンジ部材２１（図６参照）に被せられる。このとき、回動部２４の張出部３１に形成されたねじ孔３１ａに対して、図１１に示す脚部材６側の貫通孔３６を位置合わせする。また、回動部２４の上面より突出しているフリクションプレート２５、板ばね部材２６、およびキャップ２７は、くぼみ３５（図１１参照）内に入り込む。
【００４５】
そして、図１１に示す貫通孔３６の裏側からねじを、貫通孔３６を通して回動部２４のねじ孔３１ａに螺着させることで、脚部材６の一端部が回動部２４に対して固定される。回動部２４は、キャビネット３の側面ｓ１に固定された固定部２２の軸部２８まわりに回動可能であるので、回動部２４に一端部が固定された脚部材６は、その一端部を中心にキャビネット３に対して回動可能になる。
【００４６】
上述したヒンジ部材２１及び脚部材６はキャビネット３の左右の側面ｓ１、ｓ２にそれぞれ取り付けられ、左右の脚部材６は図３に示すように連結棒７で連結される。連結棒７は図５に示すように中空となっており、その中空部７ａに、図１０に示す脚部材６の他端部の内側面に突設された筒部３３を嵌め込む。左右の脚部材６は、キャビネット３に対する回動角度を同じにした状態で、連結棒７によって連結される。
【００４７】
キャビネット３の下端部である下面ｓ７には、図３に示すように、インシュレータ１７が取り付けられている。インシュレータ１７は、例えば、左右の両端位置に取り付けられている。更に、両脚部材６のそれぞれの他端部の裏面にもインシュレータ１８が取り付けられている。
【００４８】
インシュレータ１７、１８は、例えば、ウレタン、ポロン（商品名）などのゴム系材料、あるいはフェルトなどの振動吸収作用のある材料からなる。
【００４９】
スピーカ装置１は、ヒンジ部材２１の取り付け位置に対して前方（放音面ｓ３）寄りに位置するキャビネット３の下面ｓ７と、脚部材６の他端部とによって設置面上に支持されるが、上述したインシュレータ１７によって、キャビネット３の下面ｓ７は図２に示すように設置面ｆ上から浮いた状態となり、脚部材６の他端部に関しても設置面ｆ上から浮いた状態となる。したがって、４つのインシュレータ１７、１８による４点支持でもってスピーカ装置１は設置面上に支持される。また、キャビネット３は、後方へと延びる２つの傾斜面ｓ４、ｓ５及びこれら傾斜面ｓ４、ｓ５が接続される頂部を設置面から浮かせた状態となっている。
【００５０】
一般にスピーカ本体２ａ、２ｂから音が出ているときには、スピーカ本体２ａ、２ｂの振動体が振動しているだけでなく、キャビネット３全体も振動する。これは、キャビネット３もある程度響かせることでスピーカ装置１の音形成に貢献しているとも言うことができるが、キャビネット３から設置面に振動が伝わると、音が歪んだり、余計な響きが形成されたりする。
【００５１】
本実施形態では、上述したように設置面とキャビネット３の下面ｓ７との間にインシュレータ１７を介在させることで、キャビネット３から設置面への振動の伝達を抑えて良好な音質を保てる。同様に、脚部材６と設置面との間にもインシュレータ１８を介在させているので、キャビネット３からの振動が脚部材６を介して設置面に伝わるのも抑えることができる。
【００５２】
更に、インシュレータ１７、１８は、設置面に対するキャビネット３の下面ｓ７、あるいは脚部材６の他端部の滑り止めの役割も果たす。これにより、スピーカ装置１の自重によって、キャビネット３の下面ｓ７と、脚部材６の他端部との間の距離が不所望に広がってしまい設置面に対する放音面ｓ３の角度がずれてしまうことを防げる。
【００５３】
以上のように構成されるスピーカ装置１は、例えば図１２に示すホームシアターのスピーカシステムに適用される。
【００５４】
このスピーカシステムは、テレビジョン装置などの表示装置４０の左右に配置される左右のフロントスピーカ４１ａ、４１ｂと、視聴ポイントの後ろの左右に配置されるリアスピーカ４２ａ、４２ｂと、表示装置４０の下に置かれる上述したスピーカ装置１と、サブウーハー４３とを有する５．１チャンネルシステムである。
【００５５】
フロントスピーカ４１ａ、４１ｂ及びリアスピーカ４２ａ、４２ｂは、主に効果音や環境音を担当し、前後左右の音の移動や空間的な広がり感を部屋全体に生み出す。重低音を担当するサブウーハー４３は音に方向性がないのでどこに置いてもよい。
【００５６】
スピーカ装置１は、いわゆるセンタースピーカと呼ばれ、音楽やせりふを担当することが多い。スピーカ装置１は、表示装置４０の前方側にいる聴者（例えばソファ４４に腰掛けるなどしている聴者）の耳に放音面ｓ３が向くようにする。
【００５７】
そのスピーカ装置１の設置角度の調整は、脚部材６をキャビネット３に対して回動させるだけの簡単な作業にて行える。上述したヒンジ部材２１を介してキャビネット３の側面ｓ１、ｓ２に取り付けられた脚部材６の一端部まわりにトルクを生じさせることで、脚部材６の一端部はこの一端部に固定されているヒンジ部材２１の回動部２４と共に、キャビネット３に対して固定されているヒンジ部材２１の固定部２２の軸部２８まわりに回動する。
【００５８】
この結果、脚部材６はキャビネット３に対して取り付けられた一端部を中心に回動し、この回動によって、図４Ａ、Ｂに示すように、設置面上に支持される脚部材６の他端部及びキャビネット３の下端部である下面ｓ７との間の距離を自在に調整でき、設置面に対する放音面ｓ３の傾斜角度を自在に調整できる、
【００５９】
図８に示すように、回動部２４は板ばね部材２６によって、固定部２２上のフリクションプレート２３に押し付けられているので、フリクションプレート２３との間に大きな摩擦力を生じさせている。この摩擦力が回動部２４の回動に対する抵抗力として作用し、回動部２４を所望の回動角度で保持させることができる。この摩擦力に抗するトルクが脚部材６に加わらない限り回動部２４は回動しない。よって、一度設定した脚部材６の角度を使用中も安定して保持することができる。
【００６０】
脚部材６は、ヒンジ部材２１に連結された一端部から、設置面上に支持される他端部にかけて延びるレバー形状を呈しているので、てこの原理によって、それほど大きな力をかけなくても上記摩擦力に抗して脚部材６をその一端部を中心に回動させることができる。そして、脚部材６に与える回動力を解除すれば、上記摩擦力でもって、どの回動角度でもその位置に脚部材６を保持させておくことができる。
【００６１】
［第２の実施形態］
次に本発明の第２の実施形態について説明する。なお、上記第１の実施形態と同じ構成部分には同一の符号を付し、その詳細な説明は省略する。
【００６２】
本実施形態では、ヒンジ部材に図１４に示すようなラチェット機構を具備させている。すなわち、キャビネット３に対して固定される筒状の固定部６０の内周面に断面Ｖ字状の溝６０ａを形成し、その溝６０ａに対して、脚部材６の一端部に固定される回動部６１の外周面に設けられてばね６２によって径外方に付勢された複数のピン６３が係合することで、脚部材６は所望の回動角度でキャビネット３に対してその位置を保持できる。
【００６３】
回動部６１に回動力が与えられると、ピン６３は溝６０ａの傾斜面に当接しながらばね力に抗して回動部６１の内方へと押し縮められ、隣りの溝６０ａへ移動していき回動部６１の回動を許容する。
【００６４】
［第３の実施形態］
次に本発明の第３の実施形態について説明する。なお、上記第１の実施形態と同じ構成部分には同一の符号を付し、その詳細な説明は省略する。
【００６５】
本実施形態では、図１５に示すように、キャビネット３に固定された筒状の固定部６５の内部に、脚部材６に固定される回動部６６の一部を回動自在に嵌合させている。脚部材６を所望の回動角度で保持させておくには、固定部６５に螺着されるねじ６９のつまみ部６７をまわすことで軸部６８の先端を固定部６５内の回動部６６の外周面に押し付けて、回動部６６を固定部６５の内壁面に押し付ける。
【００６６】
これにより、回動部６６の固定部６５に対する回動が阻止され、脚部材６は所望の回動角度で保持される。回動部６６を回動させるには、つまみ部６７をまわしてねじ６９をゆるめればよい。
【００６７】
以上、本発明の実施形態について説明したが、勿論、本発明はこれに限定されることなく、本発明の技術的思想に基づいて種々の変形が可能である。
【００６８】
脚部材６の個数は２個に限らず、片側１個でもよいし、あるいは左右両端の脚部材６間にも３個目の脚部材を設けてもよい。もちろん、４個以上設けてもよい。
【００６９】
また、図１３に示すように、連結棒７を設けずに、左右の脚部材６をそれぞれ独立して回動可能にしてもよい。この場合には、スピーカ装置１の長手方向に関して設置面が傾斜している場合などには、左右の脚部材６の回動角度をそれぞれ独立して調整して異ならせることで、スピーカ装置１を水平にすることが可能となる。
【００７０】
また、脚部材６は、その他端部を放音面ｓ３の前方側に位置させた角度でキャビネット３を支えるようにしてもよい。
【図面の簡単な説明】
【００７１】
【図１】本発明の実施形態に係るスピーカ装置の斜視図である。
【図２】同スピーカ装置の正面図である。
【図３】同スピーカ装置を底面側から見た図である。
【図４】異なる設置角度で設置された２つのスピーカ装置を示す斜視図である。
【図５】同スピーカ装置において左側のヒンジ部材及び脚部材を取り外した状態の斜視図である。
【図６】図５に示す筒部内にヒンジ部材が嵌め込まれた状態の斜視図である。
【図７】ヒンジ部材の上面図である。
【図８】ヒンジ部材の側面図である。
【図９】ヒンジ部材の底面図である。
【図１０】脚部材の正面図である。
【図１１】脚部材の側面図である。
【図１２】本実施形態に係るスピーカ装置が適用されるホームシアターシステムのレイアウト図である。
【図１３】変形例によるスピーカ装置の斜視図である。
【図１４】第２の実施形態に係るヒンジ部材の要部断面図である。
【図１５】第３の実施形態に係るヒンジ部材の要部断面図である。
【図１６】従来例のスピーカ装置の置き方の違いによる音の出力方向の違いを示す模式図である。
【符号の説明】
【００７２】
１…スピーカ装置、２ａ，２ｂ…スピーカ本体、３…キャビネット、６…脚部材、１７…インシュレータ、１８…インシュレータ、２１…ヒンジ部材、２２…固定部、２４…回動部、２６…板ばね部材、２８…軸部、ｓ３…放音面。
【図１】
2005064959.tif 000003
【図２】
2005064959.tif 000004
【図３】
2005064959.tif 000005
【図４】
2005064959.tif 000006
【図５】
2005064959.tif 000007
【図６】
2005064959.tif 000008
【図７】
2005064959.tif 000009
【図８】
2005064959.tif 000010
【図９】
2005064959.tif 000011
【図１０】
2005064959.tif 000012
【図１１】
2005064959.tif 000013
【図１２】
2005064959.tif 000014
【図１３】
2005064959.tif 000015
【図１４】
2005064959.tif 000016
【図１５】
2005064959.tif 000017
【図１６】
2005064959.tif 000018